(57)【要約】【課題】低コストに重金属を除去することが可能であり、かつ長期間にわたって安定して重金属を除去することが可能な重金属含有水の処理方法、重金属含有水の処理装置を提供する。【解決手段】重金属を含有する被処理水から重金属を除去する重金属含有水の処理方法であって、腐植質を含む腐植土に前記被処理水を接触させ、前記重金属を腐植土に吸着させる吸着工程を有することを特徴とする。【選択図】図１
2017144396.tif 000002
【特許請求の範囲】
【請求項１】
重金属を含有する被処理水から重金属を除去する重金属含有水の処理方法であって、
腐植質を含む腐植土に前記被処理水を接触させ、前記重金属を腐植土に吸着させる吸着工程を有することを特徴とする重金属含有水の処理方法。
【請求項２】
前記被処理水のｐＨを６．０以上８．５以下にするｐＨ調整工程を更に備えたことを特徴とする請求項１に記載の重金属含有水の処理方法。
【請求項３】
重金属を含有する被処理水から重金属を除去する重金属含有水の処理装置であって、
腐植質を含む腐植土からなる腐植土層と、前記腐植土を内部に収容し、かつ前記被処理水を内部に導入可能な収容体と、を有することを特徴とする重金属含有水の処理装置。
【請求項４】
前記腐植土層の前または後に石灰石層が形成されているか、あるいは、石灰石砕粒が前記腐葉土層に均一に混合されていることを特徴とする請求項３に記載の重金属含有水の処理装置。
【請求項５】
前記腐植土には、鉄粉が混合されていることを特徴とする請求項３または４に記載の重金属含有水の処理装置。
【請求項６】
前記腐植土には、珪砂が混合されていることを特徴とする請求項３ないし５いずれか一項に記載の重金属含有水の処理装置。
【請求項７】
前記収容体は、袋状に形成された網体からなることを特徴とする請求項３に記載の重金属含有水の処理装置。
【発明の詳細な説明】
【技術分野】
【０００１】
この発明は、重金属類（カドミウム、鉄、銅、鉛、亜鉛等）を含有する水、例えば鉱山廃水、地下水、工場廃水、捨石堆積場等の浸透水などから前記重金属を除去する重金属含有水の処理方法および重金属含有水の処理装置に関する。
【背景技術】
【０００２】
従来より、重金属類、例えばカドミウム、鉄、銅、鉛、亜鉛等を含有する水（以下、重金属含有水と称する）から重金属を除去する重金属含有水の処理方法が提案されている。
例えば、特許文献１には、重金属含有水を、金属鉄、酸化鉄、カルシウム化合物を含む浄化剤に接触させることで重金属を固定化させる方法が開示されている。
また、特許文献２には、重金属含有水を硫化物イオンに反応させて、重金属を硫化物として分離する方法が開示されている。
また、特許文献３には、重金属含有水を、鉄複合粒子を含む浄化剤に接触させることで重金属を不溶化する方法が開示されている。
さらに、特許文献４には、粘土鉱物と、３価の陽イオンを含む金属と、腐食酸を含む腐葉土とを所定の割合で混合した吸着材を用いて重金属を吸着する装置が開示されている。
【先行技術文献】
【特許文献】
【０００３】
【特許文献１】特開２００４−２４３２２２号公報
【特許文献２】特開２０１０−２６９２４９号公報
【特許文献３】特許第４６３９０２９号公報
【特許文献４】特開２０１２−１９２３１２号公報
【発明の概要】
【発明が解決しようとする課題】
【０００４】
しかしながら、特許文献１に記載された処理方法では、浄化剤に含まれる金属鉄の酸化により浄化剤の性能が低下し、処理性能が短期間に低下しやすいという課題があった。
特許文献２に記載された処理方法では、重金属の硫化反応が不十分になりやすく、これによって処理効率が低下することがあり、長期間にわたって安定的に重金属を処理することが困難であった。
特許文献３に記載の処理方法では、浄化剤のpH値は、８から１２が好ましいと記載されているが一律排水基準のpHは、５．８以上８．６以下のため基準値を超過する恐れがあった。
さらに、特許文献４に記載の装置では、腐葉土の役割は、腐食酸による粘土鉱物への重金属吸着の促進であり、重金属を吸着する粘土鉱物が必要になるため、処理コストが高いという課題があった。
【０００５】
この発明は、前述した事情に鑑みてなされたものであって、低コストに重金属を除去することが可能であり、かつ長期間にわたって安定して重金属を除去することが可能な重金属含有水の処理方法、重金属含有水の処理装置を提供することを目的とする。
【課題を解決するための手段】
【０００６】
上記課題を解決するために、本発明の重金属含有水の処理方法は、重金属を含有する被処理水から重金属を除去する重金属含有水の処理方法であって、腐植質を含む腐植土に前記被処理水を接触させ、前記重金属を腐植土に吸着させる吸着工程を有することを特徴とする。
【０００７】
本発明の重金属含有水の処理方法によれば、重金属含有水を、腐植質を含む腐植土に接触させるだけで、含有する重金属類を腐植土に吸着させて除去することができる。また、腐植土層は、長期間にわたって安定して重金属を吸着可能であり、簡易な構成で長期間にわたって安定して重金属を重金属含有水から取り除くことができる。更に、こうした腐植土は、落葉樹林の土壌として容易に、かつ安価に得ることができる。よって、極めて低コストに重金属含有水から重金属類を取り除くことが可能になる。
【０００８】
本発明では、前記被処理水のｐＨを６．０以上８．５以下にするｐＨ調整工程を更に備えたことを特徴とする。
これにより、重金属類の腐植土に対する吸着効率を高め、より一層効率的に重金属含有水から重金属を取り除くことができる。
【０００９】
本発明の重金属含有水の処理装置は、重金属を含有する被処理水から重金属を除去する重金属含有水の処理装置であって、腐植質を含む腐植土からなる腐植土層と、前記腐植土を内部に収容し、かつ前記被処理水を内部に導入可能な収容体と、を有することを特徴とする。
【００１０】
本発明の重金属含有水の処理装置によれば、重金属含有水を腐植質を含む腐植土からなる腐植土層に接触させるだけで、含有する重金属類を腐植土に吸着させて除去することができる。また、腐植土層は、長期間にわたって安定して重金属を吸着可能であり、簡易な構成で長期間にわたって安定して重金属を重金属含有水から取り除くことができる。更に、こうした腐植土層を構成する腐植土は、国内外に広く分布する落葉樹林の土壌として容易に、かつ安価に得ることができる。よって、極めて低コストに重金属含有水から重金属類を取り除くことが可能になる。
【００１１】
本発明では、前記腐植土層の前または後に石灰石層が形成されているか、あるいは、石灰石砕粒が前記腐葉土層に均一に混合されていることを特徴とする。
これにより、酸性側に傾いている重金属含有水を中性にして、重金属類の腐植土層に対する吸着効率を高め、より一層効率的に重金属含有水から重金属を取り除くことができる。
【００１２】
本発明では、前記腐植土には、鉄粉が混合されていることを特徴とする。
腐植土を強還元状態にして重金属の吸着をより一層促進させることができる。特に鉄粉は、重金属類のうち、亜鉛、カドミウムを強還元状態下で共沈させる作用があり、亜鉛、カドミウムの分離吸着効率を大きく向上させることが可能になる。
【００１３】
本発明では、前記腐植土には、珪砂が混合されていることを特徴とする。
腐植土の分解が進行すると、微細分解物の蓄積によって目詰まりの原因になることから、粒径の粗い珪砂を混合することによって空隙を保ち、透水性を高めることが可能になる。
【００１４】
本発明では、前記収容体は、袋状に形成された網体からなることを特徴とする。
これにより、袋状の重金属含有水の処理装置を重金属含有水が流れる排水路内に設置するだけで、低コストに、かつ長期間にわたって、安定して重金属含有水に含まれる重金属類を除去することが可能になる。
【発明の効果】
【００１５】
本発明によれば、低コストに重金属を除去することが可能であり、かつ長期間にわたって安定して重金属を除去することが可能な重金属含有水の処理方法、重金属含有水の処理装置を提供することができる。
【図面の簡単な説明】
【００１６】
【図１】第一実施形態の処理装置を示す模式図である。
【図２】第二実施形態の処理装置を示す模式図である。
【図３】第三実施形態の処理装置を示す模式図である。
【図４】第四実施形態の処理装置を示す模式図である。
【図５】実験例１の結果を示すグラフである。
【図６】実験例２の結果を示すグラフである。
【図７】実験例３の結果を示すグラフである。
【図８】実験例４の結果を示すグラフである。
【発明を実施するための形態】
【００１７】
以下、図面を参照して、本発明の重金属含有水の処理方法、重金属含有水の処理装置について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１８】
以下に、本発明の実施形態について、添付した図面を参照して説明する。
（第一実施形態）
図１は、第一実施形態の重金属含有水の処理装置を示す模式図である。
本実施形態の重金属含有水の処理装置１０は、例えば鉛直方向に沿って延びる略円筒形の収容体１１と、この収容体１１の内部に形成された腐植土層１２とを備えている。また、収容体１１の内部には、腐植土層１２に隣接してガラスビーズ層１３ａ，１３ｂが形成されている。こうした収容体１１の内部には、重金属含有水Ｗｍを収容体１１の上方から導入して下方に導く通水管１４が形成されている。
【００１９】
こうした構成によって、重金属含有水Ｗｍは、収容体１１の下方に配されたガラスビーズ層１３ａから上方に向かって腐植土層１２を経て、更にガラスビーズ層１３ｂを通り、収容体１１の上部に形成された排水口１５から収容体１１の外部に排出される。なお、水質の変動の確認のため排水口１５の処理済水ＷｐにｐＨを測定した。
【００２０】
腐植土層１２は、腐植質を含む腐植土から構成されている。腐植質は、植物により生産された有機物が朽木・落葉・落枝となって地表部に堆積し、バクテリアなどの微生物やミミズなどの土壌動物による生化学的な代謝作用により分解されたものである。腐植土は、こうした腐植質（フミン質）を、例えば２０ｗｔ％以上含むものである。
【００２１】
腐植質の主な成分は、腐植酸などと称されるフミン酸とフルボ酸である。フミン酸は、フミン質のうち、酸性を呈する無定形高分子有機物であり、糖、炭水化物、タンパク質、脂質などに分類されない有機物である。フミン酸の組成例としては、炭素５０〜６０％、水素３．５〜６．０％、窒素３．０〜５．７％、残部は殆ど酸素であるが、１％以下の硫黄を含むことがある。ベンゼン、ナフタレン、アントラセンなど各種の芳香環や脂肪族鎖を骨格とし、多数の共役二重結合を含む。カルボキシル基、フェノール性水酸基の存在によって酸としての性質を示すほか、カルボニル基、メトキシ基、アルコール性水酸基等の官能基を含む。加水分解によって単糖やアミノ酸を生成する多分散性の混合物であり、平均分子量は１０００〜数十万以上である。
【００２２】
フルボ酸は、酸によって沈殿しない無定形高分子有機酸であり、分子内にカルボキシル基、フェノール性水酸基を多く含んだ多価有機酸である。フルボ酸の組成例としては、 炭素３５〜４５％、水素２〜８％、窒素１〜２％、硫黄０．１〜１．０％である。フルボ酸は多くの金属と錯体を形成する。例えば、鉄との錯体はフルボ酸鉄となり、自然界では陸地から海洋への鉄分の移動の主な要因である。
【００２３】
なお、本発明における腐植土は、植物の朽木・落葉・落枝・枯根などのうち、少なくともどれか１つ以上のものを由来とするものであればよく、例えば、植物葉由来の腐葉土などを挙げることができる。また、植物由来の分解物に加えて、動物の死骸の分解物などを含んでいてもよく、自然界で通常入手可能な腐植土を用いることができる。
【００２４】
腐植土層１２を形成する際には、こうした腐植土を単独または珪砂を混合して用いる。腐植土の分解が進行すると、微細分解物の蓄積によって目詰まりの原因になることから、粒径の粗い珪砂を混合することによって空隙を保ち、透水性を高めることが可能になる。
【００２５】
ガラスビーズ層１３ａ，１３ｂは、例えば粒径が１．５ｍｍ〜３．５ｍｍ程度のガラス製の微細球からなる。こうしたガラスビーズ層１３ａ，１３ｂは、腐植土層１２全体に片寄りなく重金属含有水Ｗｍを分散通過させる。
【００２６】
ｐＨ計１６は、重金属含有水Ｗｍが腐植土層１２を通過することによって得られる処理済水ＰｍのｐＨを測定する。処理済水ＷｐのｐＨ値を測定することによって、処理水のｐＨ値が排水基準に適合しているか確認する。
【００２７】
以上のような構成の重金属含有水の処理装置１０を用いた重金属含有水の処理方法を説明する。
例えば、鉱山廃水、地下水、工場廃水、捨石堆積場等の浸透水など、重金属類（カドミウム、鉄、銅、鉛、亜鉛等）を含有する重金属含有水から重金属類を除去する際には、図１に示す処理装置１０の通水管１４を介して、重金属含有水Ｗｍを収容体１１の底部から流入させる。
【００２８】
そして、重金属含有水Ｗｍを収容体１１の下部から上部に向けて流し、ガラスビーズ層１３ａから腐植土層１２を通過させる。重金属含有水Ｗｍは、腐植土層１２に接すると、この腐植土層１２に含まれる土壌微生物によって、溶存酸素が消費されて還元状態になる。こうした還元状態では、腐植質の分解が緩やかに進行し、腐植質の分解によって生じた交換基に、重金属含有水Ｗｍに含まれる重金属類（カドミウム、鉄、銅、鉛、亜鉛等）が吸着される（吸着工程）。そして、重金属類を腐植土層１２に吸着させ取り除いた後の処理済水Ｗｐは、ガラスビーズ層１３ｂを介して収容体１１の上部に形成された排水口１５から収容体１１の外部に排出される。
【００２９】
なお、重金属含有水Ｗｍは、腐植土層１２を連続して通過させてもよいが、所定時間だけ重金属含有水Ｗｍを腐植土層１２に滞留させ、重金属類の吸着度合いを高めることが好ましい。  
【００３０】
以上のように、本発明の重金属含有水の処理方法、重金属含有水の処理装置によれば、重金属含有水を腐植質を含む腐植土に接触させるだけで、含有する重金属類を腐植土に吸着させて除去することができる。また、腐植土は、長期間にわたって安定して重金属を吸着可能であり、簡易な構成で長期間にわたって安定して重金属を重金属含有水から取り除くことができる。更に、こうした腐植土は、国内外に広く分布する落葉樹林の土壌として容易に、かつ安価に得ることができる。よって、極めて低コストに重金属含有水から重金属類を取り除くことが可能になる。
【００３１】
（第二実施形態）
図２は、第二実施形態の重金属含有水の処理装置を示す模式図である。
なお、上述した第一実施形態と同様の構成には同一の番号を付し、その詳細な説明は省略する。
本実施形態の重金属含有水の処理装置２０は、重金属含有水が酸性である場合に好適な実施形態であって、例えば鉛直方向に沿って延びる略円筒形の収容体１１と、この収容体１１内部の下側から上側に向かって順に、ガラスビーズ層１３ａ、腐植土層１２Ａ、石灰石層２１、鉄含有腐植土層２２、腐植土層１２Ｂ、珪砂層２３、およびガラスビーズ層１３ｂを備えている。なお、重金属含有水に三価鉄が多く含まれている場合、石灰石層の表面に固着するため、予め腐葉土層で捕捉し除去することが好ましい。
【００３２】
石灰石層２１は、石灰石を所定の粒度に粉砕して充填したものである。重金属含有水Ｗｍは多くの場合ｐＨが酸性であり、石灰石層２１を通過させて重金属含有水Ｗｍを中和することによって、溶解性の重金属の沈殿分離を促進させる。
【００３３】
鉄含有腐植土層２２は、腐植土に鉄粉を混合したものからなる。腐植土に鉄粉を混合することによって、酸性の重金属含有水ＷｍのｐＨを上昇させ、強還元状態にして重金属の吸着を促進させる。特に、鉄粉は、重金属類のうち、亜鉛、カドミウムを強還元状態下で共沈させる作用があり、亜鉛、カドミウムの分離吸着を促進させる。
珪砂層２３は、腐葉土層から遊離した懸濁物質の捕捉を行う。
【００３４】
このような第二実施形態の重金属含有水の処理装置を用いた重金属含有水の処理方法によれば、石灰石層２１を通過させて重金属含有水Ｗｍを中和させる（ｐＨ調整工程）。このｐＨ調整工程では、重金属含有水Ｗｍ（被処理水）のｐＨを６．０以上８．５以下、好ましくは７．５以上８．５以下に調整する。これによって、鉄粉の過剰な溶解が抑制され資材の機能が長期に渡って維持される。加えて、ｐＨ値の上昇により、溶解性の重金属の沈殿分離が促進されるので、鉄含有腐植土層２２、腐植土層１２Ｂにおいて、より効率的に重金属類を吸着させて、処理済水Ｗｐの残留重金属濃度を一層低減することができる。
【００３５】
また、腐植土に鉄粉を混合した鉄含有腐植土層２２を形成することによって、金属類のうち、亜鉛、カドミウムを特に効率的に分離吸着させることができるので、亜鉛やカドミウムの濃度が高い重金属含有水Ｗｍには特に好適である。
【００３６】
（第三実施形態）
図３は、第三実施形態の重金属含有水の処理装置を示す模式図である。
なお、上述した第一実施形態、第二実施形態と同様の構成には同一の番号を付し、その詳細な説明は省略する。
本実施形態の重金属含有水の処理装置５０は、例えば鉛直方向に沿って延びる略円筒形の収容体１１と、この収容体１１内部の下側から上側に向かって順に、ガラスビーズ層１３、腐植土層５２を備えている。本実施形態では、重金属含有水Ｗｍは収容体１１の上部から流入させ、収容体１１の下部に形成された排水口１５から処理済水Ｗｐを収容体１１の外部に排出させる。
【００３７】
本実施形態の腐植土層５２は、腐葉土、石灰粒、鉄粉を均一混合して充填した機能性資材からなる反応層である。こうした実施形態は、特に重金属含有水Ｗｍの重金属濃度が１０ｍｇ／Ｌ以下でｐＨ値が中性である場合には特に有効であ。また、収容体１１の上部から重金属含有水Ｗｍを流入させるので、腐植土層５２の表層５２ａを交換する容易な作業によって、腐植土層５２の全量入れ換えまでの期間を大幅に延長することができる。
【００３８】
（第四実施形態）
図４は、第五実施形態の重金属含有水の処理装置を示す模式図である。このうち、図４（ａ）は処理装置を排水路に設置した状態での正面図であり、図４（ｂ）は処理装置を排水路に設置した状態での側断面図である。
本実施形態の重金属含有水のひ処理装置４０は、袋状に形成された網体からなる収容体４１に腐植土を収容して腐植土層４２としたものである。収容体４１は、例えば、ポリエチレンやポリプロピレンなどの高分子樹脂からなる網袋を用いることができる。
【００３９】
このような処理装置（処理具）４０を、例えば、鉱山廃水、地下水、工場廃水、捨石堆積場等の浸透水などを流す排水路Ｄに設置することによって、この排水路Ｄを流れる重金属含有水Ｗｍに含まれる重金属類を吸着することができる。こうした構成によれば、重金属含有水Ｗｍが流れる排水路Ｄ内に処理装置（処理具）４０を設置するだけで、低コストに、かつ長期間にわたって、安定して重金属含有水Ｗｍに含まれる重金属類を除去することが可能になる。
【００４０】
なお、こうした第四実施形態においても、排水路Ｄに設置した腐植土層４２を含む処理装置（処理具）４０の上流側に、更に石灰石を充填した網袋を設置して、重金属含有水ＷｍのｐＨを予め中和しておくこともできる。
【００４１】
以上、本発明の実施形態を説明したが、これらの各実施形態は、例として提示したものであり、発明の範囲を限定することは意図していない。これら各実施形態は、その他の様々な形態で実施されることが可能であり、発明の要旨を逸脱しない範囲で、種々の省略、置き換え、追加、ないし変更を行うことができる。これら実施形態やその変形例は、発明の範囲や要旨に含まれると同様に、特許請求の範囲に記載された発明とその均等の範囲に含まれるものである。
【実施例】
【００４２】
以下、本実施形態の効果を検証した実験例を示す。
（実験例１）
重金属含有水として、表１に示す水質の模擬坑水を用意した。
【００４３】
【表１】
2017144396.tif 000003
【００４４】
こうした模擬坑水に対して、腐植土粉末（植物葉由来の腐葉土、粒径５３μｍ以上１０６μｍ未満）を模擬坑水１Ｌ当たり１５ｇ添加して、１〜４時間撹拌した。そして、ろ紙（Ｎｏ．５Ｃ）を用いて固形分を濾別し、濾液のｐＨ、亜鉛濃度、カドミウム濃度の分析を行った。
この分析結果を図５に示す。
【００４５】
図５に示す分析結果によれば、模擬坑水と腐植土粉末との撹拌開始後、１時間以内に亜鉛濃度、およびカドミウム濃度が大幅に低下し、ほぼ平衡濃度に達した。腐植土粉末による重金属類の優れた吸着特性が確認できた。
【００４６】
（実験例２）
次に、実際の重金属含有水の処理装置の特性を検証するために、図１（第一実施形態）に示す構成の処理装置１０を用意した。
収容体１１として内径が５２ｍｍ、全長が５００ｍｍの塩化ビニル樹脂製の円筒カラムを用いた。そして、この円筒カラム内に腐葉土１８３ｇ、珪砂１５８ｇの混合体からなる腐植土層１２と、この腐植土層１２の上側と下側にそれぞれガラスビーズ層１３ａ，１３ｂとを形成した。収容体１１内における腐植土層１２の厚みは３７０ｍｍ、ガラスビーズ層１３ａ，１３ｂの厚みはそれぞれ５０ｍｍ、空隙率５９．９％、空隙量４７０ｍＬとした。腐葉土は、長野県で採取された広葉樹の落葉を１００％原料とした腐葉土を用いた。
【００４７】
こうした構成の処理装置１０に対して、表１に示した水質の模擬坑水を流量１．７Ｌ／日として約１１か月間、マイクロチューブポンプを用いて流した。模擬坑水の累積流量は２７６．２Ｌであった。また、亜鉛の累積流入負荷量は１９３７ｍｇと算出された。
このような条件で行った処理後の模擬坑水（処理済水）の水質について、最大値、最小値、平均値、および終了時の値を表２に示す。また、図６に、模擬坑水（原水）および処理済水のｐＨ、亜鉛濃度、カドミウム濃度と積算通水量との関係を示す。
【００４８】
【表２】
2017144396.tif 000004
【００４９】
表２、図６に示す検証結果によれば、排水中の規制物質である亜鉛、カドミウムに関して、処理装置１０を通過させた模擬坑水（処理済水）は、１１か月間の試験期間中、常に低い値を示し、試験終了時においても、試験初期の吸着性能を維持していた。よって、本発明の重金属含有水の処理装置を用いれば、長期間にわたって、安定して重金属類を除去可能であることが確認された。
【００５０】
（実験例３）
実験例２の試験終了後、腐植土層１２を厚み方向に５ｃｍごとに取り出し、亜鉛、カドミウムの含有量（吸着量）を測定した。得られた亜鉛濃度、カドミウム濃度を採取位置ごとに表したグラフを図７に示す。
図７に示す測定結果によれば、亜鉛は、腐植土層１２の流入側から０〜１５ｃｍ付近までほぼ飽和吸着しており、約３％含有していた。一方、カドミウムは流入側近くで高濃度になっているが、吸着飽和に達していなかった。こうした結果から、１１か月間吸着を行わせた後も、まだ吸着飽和に達していない部位があり、更に長期間、重金属類を吸着除去できる可能性があることが確認された。
【００５１】
（実験例４）
重金属含有水として模擬坑水（ｐＨ６．５、亜鉛濃度８．５３ｍｇ／Ｌ、カドミウム濃度０．０４８ｍｇ／Ｌ）に対して、それぞれＮａＯＨ水溶液あるいはＨＣＬ水溶液を用いて初期ｐＨを調整した。そして、この後、模擬坑水および実坑水１Ｌ当たり０．６ｇの腐葉土粉末（粒径５３μｍ以上１０６μｍ未満）をそれぞれ添加して、２４時間撹拌した後、濾紙（Ｎｏ．５Ｃ）で固形分を濾別し、得られた濾液を分析した。
この分析結果のグラフを図８に示す。
【００５２】
図８に示す分析結果によれば、初期ｐＨを７．５以上にすると、模擬坑水の処理済水は、亜鉛濃度が低下することが確認された。一方、カドミウム濃度も亜鉛濃度と同様の傾向を示した。
【符号の説明】
【００５３】
１０  処理装置（重金属含有水の処理装置）
１１  収容体（カラム）
１２  腐植土層
１３ａ，１３ｂ  ガラスビーズ層
１５  排水口
１６  ｐＨ計
２１  石灰石層
【図１】
2017144396.tif 000005
【図２】
2017144396.tif 000006
【図３】
2017144396.tif 000007
【図４】
2017144396.tif 000008
【図５】
2017144396.tif 000009
【図６】
2017144396.tif 000010
【図７】
2017144396.tif 000011
【図８】
2017144396.tif 000012